(57)【要約】      （修正有）【課題】使用者の好みに応じた頭部高さや肩の高さを調整できるようにするとともに、使用時に身体をずり落とさないようにした枕を提供する。【解決手段】ビーズ状のクッション材の量を選択して収納することのできる膨らみを持った頭部クッション体１１に使用者の頭部と肩部近傍を載せた際に、肩部よりも頭部が高く保たれるようにするとともに、腰部クッション体１２に使用者の腰部を載せて扁平となることで、頭部クッション体１１と腰部クッション体１２が位置ずれを起こさないようにして、使用者の上半身が頭側を上に傾斜した状態を維持し、頭部及び肩部の高さを調整でき、枕１から使用者がずり落ちないようにする。【選択図】図１
2019058695.tif 000002
【特許請求の範囲】
【請求項１】
就寝時に横になった使用者の上半身を持ち上げて傾斜させる枕であって、
横たわった前記使用者の頭部から肩部近傍に対応する位置に設けられる頭部クッション体と、
前記使用者の腰近傍に対応する位置に設けられる腰部クッション体とを有し、
前記頭部クッション体は、生地を縫合して形成された内部にクッション材を収納することで膨らみを持たせつつ、一方の側面に形成されたファスナーを通じて前記クッション材の量を選択することで前記使用者の頭部及び肩部近傍の高さを調整可能とするとともに、前記使用者の頭部側よりも肩部近傍側の高さを低く構成したものであって、
前記腰部クッション体は、少なくとも前記使用者が横たわった時に扁平状となり、当該使用者の腰部に押圧されて前記頭部クッション体に対して位置がずれないように設けられたものであることを特徴とする枕。
【請求項２】
前記頭部クッション体は、
横たわった前記使用者の頭部に対応する位置に設けられ且つ内部に前記クッション材が収納された第１収納部と、
横たわった前記使用者の肩部近傍に対応する位置に設けられ且つ内部に前記クッション材が収納されて前記第１収納部よりも縦長寸法が短く高さ寸法が低い第２収納部とを有し、
前記第１収納部と前記第２収納部とは表裏の生地を縫合する第一表裏縫合部により連続且つ独立に形成されており、前記第１収納部と前記第２収納部のそれぞれの側面に設けられたファスナーを通じて前記クッション材の量を選択可能としている請求項１に記載の枕。
【請求項３】
前記頭部クッション体は、
前記第２収納部の下端部において前記生地を縫合する第二表裏縫合部を境界として連続して形成され、クッション性と吸汗性を有する扁平状の扁平部を有しており、
前記第２収納部と前記扁平部の境界部分となる前記第二表裏縫合部を境に前記扁平部を前記第１収納部側へ折り返した状態で、当該扁平部によって、前記第１収納部と前記第２収納部との境界部分となる前記第一表裏縫合部に生じる凹部を覆いながら、横たわる方向に並ぶ前記第１収納部及び前記第２収納部のうち前記使用者が凭れる側のみを覆うように構成している請求項２に記載の枕。
【請求項４】
前記頭部クッション体を収納する頭部カバー体と、
前記頭部カバー体に連続して設けられ且つ前記腰部クッション体を収納する腰部カバー体とをさらに備えていることを特徴とする請求項１乃至３の何れかに記載の枕。
【請求項５】
前記クッション材が、両端に開口部を有するビーズ状に形成されたものである請求項１乃至４の何れかに記載の枕。
【発明の詳細な説明】
【技術分野】
【０００１】
本発明は、就寝時に使用される枕に関するものであり、より詳しくは、逆流性食道炎を防止できるようにした形状を有する枕に関するものである。
【背景技術】
【０００２】
一般に、逆流性食道炎は、食後すぐに横になることによって胃酸が食道に逆流することによって引き起こされると言われている。このため、この逆流性食道炎を防止するためには、就寝時に横になった人間に対して、上半身を持ち上げるように傾斜させることによって胃酸の逆流を防止させる必要がある。
【０００３】
このように横になった人間の上半身側を持ち上げるようにした枕としては、例えば、図５に示すように、頭部から腰椎にかけて略三角形状をなすような形状を有する枕６などが提案されている（特許文献１、特許文献２、特許文献３）。このような枕６は、就寝時における頸椎や腰椎にかかる負担を防止することを目的とするものであるが、これと共に、逆流性食道炎を防止することもできると考えられる。
【先行技術文献】
【特許文献】
【０００４】
【特許文献１】特開２００９−２６１５１２号公報
【特許文献２】実用新案登録第３１４５２１７号公報
【特許文献３】実開平６−２２０号公報
【発明の概要】
【発明が解決しようとする課題】
【０００５】
しかしながら、これらの文献に記載された形状の枕では、次のような問題を生じる。
【０００６】
すなわち、上記文献に記載された枕６は、基本的に頭部から腰にかけて単一のクッション素材で構成されているため、個人の好みに応じて頭部や肩の高さをそれぞれ調整することができない。また、図５に示すように、頭部から腰まで一律に傾斜させた構造であると、就寝時に寝返りを打つことによって身体が下方にずり落ちるか、もしくは、枕６が上方にせり上がってしまい、胃の上方部分を傾斜させることができなくなってしまう。
【０００７】
そこで、本発明は上記課題に着目してなされたもので、使用者の好みに応じた頭部高さや肩の高さを調整できるようにするとともに、使用時に身体をずり落とさないようにした枕を提供することを目的とする。
【課題を解決するための手段】
【０００８】
すなわち、上記課題を解決するために、本発明は、就寝時に横になった使用者の上半身を持ち上げて傾斜させる枕であって、横たわった使用者の頭部から肩部近傍に対応する位置に設けられる頭部クッション体と、使用者の腰近傍に対応する位置に設けられる腰部クッション体とを有し、頭部クッション体は、生地を縫合して形成された内部にクッション材を収納することで膨らみを持たせつつ、一方の側面に形成されたファスナーを通じてクッション材の量を選択することで使用者の頭部及び肩部近傍の高さを調整可能とするとともに、使用者の頭部側よりも肩部近傍側の高さを低く構成したものであって、腰部クッション体は、少なくとも使用者が横たわった時に扁平状となり、使用者の腰部に押圧されて頭部クッション体に対して位置がずれないように設けられものである。
【０００９】
このような枕であれば、横たわった使用者が頭部及び肩部を頭部クッション体に載せると、肩部近傍が頭部よりも高くなることがなく、頭部クッション体の膨らみによって肩胛骨付近が持ち上げられ、食道を傾斜させて胃酸の逆流防止による逆流性食道炎を防止することができるようになる。また、腰部クッション体が横たわった使用者の腰部に押圧されることで、就寝時に寝返りを打つことによって身体が下方にずり落ちたり、枕が上方にせり上がってしまい、胃の上方部分を傾斜させることができなくなってしまうという問題が解決される。さらに、頭部クッション体の内部に収容するクッション材の量を選択できるため、使用者の好みに応じた頭部高さや肩の高さを調整できる。
【００１０】
本発明における頭部クッション体の好適な構成としては、横たわった使用者の頭部に対応する位置に設けられ且つ内部にクッション材が収納された第１収納部と、横たわった使用者の肩部近傍に対応する位置に設けられ且つ内部にクッション材が収納されて前記第１収納部よりも縦長寸法が短く高さ寸法が低い第２収納部とを有し、第１収納部と第２収納部とを表裏の生地を縫合する第一表裏縫合部により連続且つ独立に形成し、第１収納部と第２収納部のそれぞれの側面に設けられたファスナーを通じてクッション材の量を選択可能としたものが挙げられる。
【００１１】
さらに頭部クッション体は、第２収納部の下端部において生地を縫合する第二表裏縫合部を境界として連続して形成され、クッション性と吸汗性を有する扁平状の扁平部を有するものとすることができ、第２収納部と扁平部の境界部分となる第二表裏縫合部を境に扁平部を第１収納部側へ折り返した状態で、扁平部によって、第１収納部と第２収納部との境界部分となる第一表裏縫合部に生じる凹部を覆いながら、横たわる方向に並ぶ第１収納部及び第２収納部のうち使用者が凭れる側のみを覆うように構成することができる。
【００１２】
本発明の枕には、頭部クッション体を収納する頭部カバー体と、頭部カバー体に連続して設けられ且つ腰部クッション体を収納する腰部カバー体とをさらに設けることができる。
【００１３】
また、このような発明におけるクッション材としては、両端に開口部を有するビーズ状に形成されたものを挙げることができる。
【発明の効果】
【００１４】
本発明によれば、横たわった使用者の上半身に傾斜を持たせて逆流性食道炎を防止することができるとともに、腰部クッション体を腰部近傍で押圧することで枕のずれを防止することができるようになる。
【図面の簡単な説明】
【００１５】
【図１】本発明の一実施の形態における枕の外観斜視図
【図２】同形態における扁平部を展開した状態を示す図
【図３】同形態における扁平部を折り返して第一収納部や第二収納部を覆った状態を示す図
【図４】他の実施の形態におけるクッション材を示す図
【図５】従来例における枕を示す図
【発明を実施するための最良の形態】
【００１６】
以下、本発明の一実施の形態について図面を参照して説明する。この実施の形態における枕１は、使用者の好みに応じて頭部や肩部近傍の高さ位置を調整しながら上半身を傾斜させるようにしたものであって、図１に示すように、頭部クッション体１１と腰部クッション体１２とを有するように構成されている。このうち、頭部クッション体１１については、図２や図３に示すように、頭部に対応する位置に設けられる第一収納部２と、肩部近傍に対応する位置に設けられる第二収納部３を有する頭部クッション体１１と、これら第一収納部２や第二収納部３を覆う扁平部４を有し（図３の状態）、その第一収納部２や第二収納部３に、ビーズ状のクッション材５を収納して好みの高さや傾斜を持たせて、逆流性食道炎を防止できるようにしたものである。以下、本実施の形態における枕１の構造について説明する。
【００１７】
まず、この枕１のうち、頭部カバー体１３に挿入される頭部クッション体１１は、図２に示すように、表裏をなす綿素材の生地を縫合することなどによって構成されており、上端部と平行に第一表裏縫合部２３と第二表裏縫合部３２を設けることによって第一収納部２や第二収納部３を独立に形成している。
【００１８】
この第一収納部２は、比較的大きめの縦長寸法を有するように設定されており、その一方の側面に設けられた開閉可能なファスナー２１によって表裏を開放できるようになっている。この実施の形態では、第一収納部２の寸法として、横長寸法を約７０ｃｍ程度に設定し、縦長寸法を３５ｃｍ程度に設定するが、これらの寸法については子供用、大人用、Ｌ寸、Ｍ寸、Ｓ寸など各寸法に応じて数種類用意することもできる。そして、その内部にクッション材５を収納することによって膨らみを持たせるようにしている。
【００１９】
また、第二収納部３は、第一収納部２よりも比較的短めの縦長寸法を有するように設けられており、同様に、その一方の側面に設けられたファスナー３１によって表裏を開放できるようになっている。このファスナー３１については、第一収納部２のファスナー２１とは別個に設けてもよく、あるいは、第一収納部２のファスナー２１と連続するように一体的に設けても良い。また、この第二収納部３については、第一収納部２と同様に、横長寸法を約７０ｃｍ程度にするとともに、縦長寸法について約２０ｃｍ程度としている。そして、その内部にクッション材５を収納することによって、第一収納部２よりも低くできるようにしている。
【００２０】
この第一収納部２や第二収納部３に収納されるクッション材５は、使用者の荷重を支えることができる比較的柔らかいものであって、ここでは図２に示すようなビーズ状のクッション材５が用いられる。なお、図２においては、ビーズ状のクッション材５は説明の関係上、拡大した状態で図示している。このビーズ状のクッション材５は、両端に開口部５１を有する略楕円形状ないしは略矩形形状をなす合成樹脂によって形成されており、上下左右のいずれの方向から加重が加えられた場合であっても、変形によって荷重を支えられるようにしている。なお、ここでは、両端に開口部５１を有するものを用いているが、両端を封止したものであると、内部の空気に逃げ場所がなくなってしまい、変形しにくくなってしまうからである。このため、ここではクッション性を持たせるようにするとともに、通気性も確保できるようなビーズ状のクッション材５を用いるようにしている。このクッション材５を収納する場合、例えば、第一収納部２から第二収納部３にかけての傾斜角度が約１５度程度となるようにクッション材５を収納していく。このとき、第一収納部２や第二収納部３は、クッション材５の収納によって膨らみを生じるため、全体としてそれぞれの縦長寸法（５５ｃｍ）よりも短い寸法となる。
【００２１】
一方、この実施の形態では、第二収納部３から連続して扁平部４が設けられる。この扁平部４は、図２に示すように、第二表裏縫合部３２を介して第二収納部３の下方側に設けられる扁平状のものであって、これを展開することによって腰部近傍で押圧できるようにするとともに、これを折り返すことによって、図３に示すように、第一収納部２や第二収納部３を覆えるようにしたものである。この扁平部４を構成する場合、表裏の綿素材の生地を縫い合わせるだけでなく、その内部に綿などを入れてクッション性や吸汗性を持たせるようにしている。ここでは、扁平部４の寸法については、横長方向７０ｃｍ程度、縦長方向４５ｃｍ程度としている。この扁平部４の下端部分と第一収納部２の上端部分には、それぞれを接合させるための紐状の留め具２２、４１が設けられており、それぞれを結びつけることによって第一収納部２や第二収納部３の上面に扁平部４で覆えるようにしている。このように扁平部４を被せれば、第一表裏縫合部２３の凹部を覆うことができ、クッション性を持たせることができるようになる。
【００２２】
このように構成された頭部クッション体１１は、扁平部４が折り返された状態で頭部カバー体１３に収納される（図１参照）。また、この頭部カバー体１３の下方側には、縫い目を介して腰部カバー体１４が設けられており、そこに扁平状の布体やダウンなどから構成される腰部クッション体１２が挿入されるようになっている。このとき、この腰部カバー体１４内にダウンなどのクッション材を挿入すれば、就寝時において腰部による押圧によって扁平状にすることができるとともに、その周囲における身体への密着性を良くして保温性を高めることができるようになる。一方、扁平状の布体を挿入した場合は、夏期などにおける通気性や吸汗性を良くすることができるようになる。
【００２３】
次に、このような枕１を使用する場合の作用について説明する。
【００２４】
まず、この枕１を使用する場合、第一収納部２のファスナー２１を開けて、適当な量のビーズ状のクッション材５を挿入していく。このとき、好ましくは第一収納部２の高さ位置が１７ｃｍ〜２０ｃｍ程度となるようにしておく。そして、そのクッション材５を挿入した後にファスナー２１を閉めてクッション材５を全体に均等に行きわたらせる。
【００２５】
また、これとともに、第二収納部３にクッション材５を収納すべく、同様にファスナー３１を開けてクッション材５を適量入れていく。このとき、第二収納部３の縦長寸法が第一収納部２よりも短く設定されているため、同じ密度の状態でクッション材５を挿入したとしても、第二収納部３の高さ位置が第一収納部２よりも高くなることがない。そして、このようにクッション材５を収納した後にファスナー３１を閉めて、クッション材５を全体に行きわたらせる。
【００２６】
そして、このようにビーズ状のクッション材５を収納した後、扁平部４を折り返して紐状の留め具２２、４１を結びつけ、その状態で頭部カバー体１３に挿入する。
【００２７】
次に、この頭部カバー体１３の下方に設けられた腰部カバー体１４に、ダウンや扁平状の腰部クッション体１２を挿入して枕１を構成する。
【００２８】
そして、このように構成された枕１を使用する場合は、使用者の頭部が位置する場所に第一収納部２が位置するように配置し、その状態で横たわれるようにする。すると、使用者の腰近傍の位置が腰部クッション体１２の位置にくるようになり、その押圧によって枕全体がずれないようになる。このような状態で、頭部を頭部クッション体１１の第一収納部２の上に載せるとともに第二収納部３の上に肩部を載せると、その第二収納部３の膨らみによって肩胛骨付近が持ち上げられ、食道を傾斜させて胃酸の逆流防止による逆流性食道炎を防止することができるようになる。
【００２９】
このように上記実施の形態によれば、ビーズ状のクッション材５を収納することのできる第一収納部２と、前記第一収容部２よりも縦長寸法が短く、ビーズ状のクッション材５を収納することで高さ寸法が低くなるように設けられた第二収納部３と、当該第二収容部３の下方側から連続するように設けられ、第二収容部３との境界部分を境に第一収容部２側へ折り返すことによって前記第一収容部２および第二収容部３を覆えるようにするとともに、平面状に展開することによって腰部近傍を押圧できるようにした扁平状の扁平部４と、当該扁平部４を折り返した状態の第一収容部２および第二収容部３を収容する頭部カバー体１３と、当該頭部カバー体１３から使用者の腰近傍の位置まで連続して設けられ、腰部クッション体１２を収容することのできる腰部カバー体１４と備えるようにしたので、傾斜を持たせて逆流性食道炎を防止することができるとともに、展開された扁平部４や腰部カバー体１４を腰部近傍で押圧することで枕１のずれを防止することができるようになる。
【００３０】
なお、本発明は上記実施の形態に限定されることなく、種々の態様で実施することができる。
【００３１】
例えば、上記実施の形態では、クッション材５としてビーズ状のものを用いるようにしたが、粒状のウレタン素材や発泡スチロール、もしくは、図４に示すように、全体として一つの形状をなす低反発素材や高反発存在などを用いることもできる。このとき、図４に示すように、第一収納部２用のクッション材５と、第二収納部３用のクッション材５とを個別に設けておき、また、好みに応じて高さを変えられるように数種類用意しておく。
【００３２】
また、上記実施の形態では、留め具２２として紐状のものを用いるようにしているが、これに限らず、ファスナーなどを用いるようにしてもよい。
【００３３】
さらに、上記実施の形態では、第一表裏縫合部２３で第一収納部２と第二収納部３を分離するようにしたが、表裏を縫合することなく内部に間仕切りなどを設けて第一収納部２と第二収納部３を設けるようにしてもよい。ただし、第一表裏縫合部２３を設ける場合は、そこに凹部を形成することができるため、寝返りを打った際にそこに肩を位置させることができ、就寝時における使用感を良くすることができるというメリットを得ることができる。
【００３４】
加えて、上記実施の形態では、腰部クッション体１２を有する腰部カバー体１４で枕全体を固定できるようにしたが、図２に示すように、頭部クッション体１１の扁平部４を展開してそこに腰部を位置させ、これによって頭部クッション体１１全体を固定させるように使用することもできる。
【符号の説明】
【００３５】
１・・・枕
１１・・・頭部クッション体
１２・・・腰部クッション体
１３・・・頭部カバー体
１４・・・腰部カバー体
２・・・第一収納部
２１・・・ファスナー
２２・・・留め具
２３・・・第一表裏縫合部
３・・・第二収納部
３１・・・ファスナー
３２・・・第二表裏縫合部
４・・・扁平部
４１・・・留め具
５・・・クッション材
５１・・・開口部
【図１】
2019058695.tif 000003
【図２】
2019058695.tif 000004
【図３】
2019058695.tif 000005
【図４】
2019058695.tif 000006
【図５】
2019058695.tif 000007